(57)【特許請求の範囲】
【請求項１】
無線通信システムにおける二重連結で端末（ＵＥ；ｕｓｅｒ  ｅｑｕｉｐｍｅｎｔ）を動作させる方法であって、
第１の基地局及び第２の基地局の全ての活性化された搬送波のためのタイプ１パワーヘッドルーム（ＰＨ；ｐｏｗｅｒ  ｈｅａｄｒｏｏｍ）を前記第１の基地局へ伝送し、  
前記第２の基地局のためのＰＵＣＣＨ（ｐｈｙｓｉｃａｌ  ｕｐｌｉｎｋ  ｃｏｎｔｒｏｌ  ｃｈａｎｎｅｌ）を伝送できる搬送波のためのタイプ２ＰＨを前記第１の基地局へ伝送することを含み、
前記ＵＥは前記第１の基地局及び前記第２の基地局の両方に二重連結している、方法。
【請求項２】
前記タイプ２ＰＨは、前記第２の基地局に対する前記ＰＵＣＣＨ及び前記第２の基地局に対するＰＵＳＣＨ（ｐｈｙｓｉｃａｌ  ｕｐｌｉｎｋ  ｓｈａｒｅｄ  ｃｈａｎｎｅｌ）の同時伝送が構成されたか否かに関係なく、伝送される、請求項１に記載の方法。
【請求項３】
前記第１の基地局は、前記二重連結でのマスタノードである、請求項１に記載の方法。
【請求項４】
前記第２の基地局は、前記二重連結でのセカンダリノードである、請求項１に記載の方法。
【請求項５】
サービングセルのために構成されたＵＥ伝送電力であるＰＣＭＡＸ、Ｃを前記第１の基地局へ伝送することをさらに含む、請求項１に記載の方法。
【請求項６】
前記ＵＥは、前記第１の基地局に対するＰＵＣＣＨと前記第１の基地局に対するＰＵＳＣＨの同時送信で構成される、請求項１に記載の方法。
【請求項７】
前記第１の基地局に対する前記ＰＵＣＣＨを前記第１の基地局へ伝送できる搬送波のためのタイプ２ＰＨを伝送することをさらに含む、請求項６に記載の方法。
【請求項８】
前記タイプ２ＰＨを伝送するための搬送波は前記第２の基地局のための前記ＰＵＣＣＨを前記第１の基地局へ実際に伝送することについての情報を伝送することをさらに含む、請求項１に記載の方法。
【請求項９】
無線通信システムにおける二重連結される端末（ＵＥ；ｕｓｅｒ  ｅｑｕｉｐｍｅｎｔ）であって、
メモリと、
ＲＦ（ｒａｄｉｏ  ｆｒｅｑｕｅｎｃｙ）部と、
前記メモリ及び前記ＲＦ部と動作的に連結されるプロセッサと、
を備え、
前記プロセッサは、
第１の基地局と第２の基地局の全ての活性化された搬送波に対するタイプ１パワーヘッドルーム（ＰＨ）を前記第１の基地局へ伝送するように前記ＲＦ部を制御し、  
前記第２の基地局に対するＰＵＣＣＨ（ｐｈｙｓｉｃａｌ  ｕｐｌｉｎｋ  ｃｏｎｔｒｏｌ  ｃｈａｎｎｅｌ）を伝送できる搬送波に対するタイプ２ＰＨを前記第１の基地局へ伝送するように前記ＲＦ部を制御し、
前記ＵＥは前記第１の基地局及び前記第２の基地局の両方に二重連結している、端末。
【発明の詳細な説明】
【技術分野】
【０００１】
本発明は、無線通信に関し、より詳細には、無線通信システムにおけるパワーヘッドルーム報告を伝送する方法及び装置に関する。
【背景技術】
【０００２】
ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）は、ヨーロッパシステム（Ｅｕｒｏｐｅａｎ  ｓｙｓｔｅｍ）、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）、及びＧＰＲＳ（ｇｅｎｅｒａｌ  ｐａｃｋｅｔ  ｒａｄｉｏ  ｓｅｒｖｉｃｅｓ）に基づいてＷＣＭＤＡ（ｗｉｄｅｂａｎｄ  ｃｏｄｅ  ｄｉｖｉｓｉｏｎ  ｍｕｌｔｉｐｌｅ  ａｃｃｅｓｓ）で動作する３世代（３ｒｄ  ｇｅｎｅｒａｔｉｏｎ）非同期（ａｓｙｎｃｈｒｏｎｏｕｓ）移動通信システムである。ＵＭＴＳのＬＴＥ（ｌｏｎｇ−ｔｅｒｍ  ｅｖｏｌｕｔｉｏｎ）がＵＭＴＳを標準化する３ＧＰＰ（３ｒｄ  ｇｅｎｅｒａｔｉｏｎ  ｐａｒｔｎｅｒｓｈｉｐ  ｐｒｏｊｅｃｔ）により議論中である。
【０００３】
３ＧＰＰ  ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インタフェース及び端末の適切な電力消費を要求する。
【０００４】
サービスのユーザ要求に対する容量を増加させるために、帯域幅を増加させることが重要でありうる。破片化された小さな帯域を効果的に使用するために、搬送波集合（ＣＡ：ｃａｒｒｉｅｒ  ａｇｇｒｅｇａｔｉｏｎ）または資源集合が開発されてきた。これは、イントラ−ノード（ｉｎｔｒａ−ｎｏｄｅ）搬送波上またはインタ−ノード（ｉｎｔｅｒ−ｎｏｄｅ）搬送波上に周波数領域内の物理的に連続的でない複数の帯域をグルーピングし、あたかも論理的により広い帯域が使用されるような効果を得ることを目標とする。搬送波集合によりグルーピングされる個別単位の搬送波を構成搬送波（ＣＣ；ｃｏｍｐｏｎｅｎｔ  ｃａｒｒｉｅｒ）という。インタ−ノード資源集合で各ノードに対して搬送波グループ（ＣＧ；ｃａｒｒｉｅｒ  ｇｒｏｕｐ）が設定され得るし、１つのＣＧは、複数のＣＣを有することができる。各ＣＣは、単一帯域幅と中心周波数とに定義される。
【０００５】
ＬＴＥ  Ｒｅｌ−１２において、二重連結（ｄｕａｌ  ｃｏｎｎｅｃｔｉｖｉｔｙ）が支援されるスモールセル向上（ｓｍａｌｌ  ｃｅｌｌ  ｅｎｈａｎｃｅｍｅｎｔ）に対する新しい議論が始まった。二重連結は、ＲＲＣ＿ＣＯＮＮＥＣＴＥＤ状態の与えられた端末が非理想的なバックホール（ｂａｃｋｈａｕｌ）で連結された少なくとも２つの互いに異なるネットワーク地点（マスタｅＮＢ（ＭｅＮＢ）及びセカンダリｅＮＢ（ＳｅＮＢ））から提供される無線資源を消費する動作である。さらに、端末のための二重連結に関与する各ｅＮＢは、他の役割を仮定することができる。その役割は、ｅＮＢの電力等級に依存する必要がないし、端末間に異なり得る。
【０００６】
パワーヘッドルーム報告（ＰＨＲ；ｐｏｗｅｒ  ｈｅａｄｒｏｏｍ  ｒｅｐｏｒｔｉｎｇ）手順は、名目（ｎｏｍｉｎａｌ）ＵＥ最大電力と活性化されたサービングセル別ＵＬ−ＳＣＨ（ｕｐｌｉｎｋ  ｓｈａｒｅｄ  ｃｈａｎｎｅｌ）に対する推定された電力の差に関する情報と、名目ＵＥ最大電力とＰＣｅｌｌ（ｐｒｉｍａｒｙ  ｃｅｌｌ）上のＵＬ−ＳＣＨ及びＰＵＣＣＨ（ｐｈｙｓｉｃａｌ  ｕｐｌｉｎｋ  ｃｏｎｔｒｏｌ  ｃｈａｎｎｅｌ）に対する推定された電力の差に関する情報とをサービングｅＮＢに提供するために使用される。ＣＡまたは二重連結のための効率的なパワーヘッドルーム報告方法が必要でありうる。
【発明の概要】
【発明が解決しようとする課題】
【０００７】
本発明は、無線通信システムにおけるパワーヘッドルーム報告（ＰＨＲ；ｐｏｗｅｒ  ｈｅａｄｒｏｏｍ  ｒｅｐｏｒｔ）を伝送する方法及び装置を提供する。本発明は、ＰＵＣＣＨ（ｐｈｙｓｉｃａｌ  ｕｐｌｉｎｋ  ｃｏｎｔｒｏｌ  ｃｈａｎｎｅｌ）とＰＵＳＣＨ（ｐｈｙｓｉｃａｌ  ｕｐｌｉｎｋ  ｓｈａｒｅｄ  ｃｈａｎｎｅｌ）の同時伝送が構成されたか否かに関係なく、複数の搬送波グループのために、同じタイプのＰＨＲを伝送する方法を提供する。
【課題を解決するための手段】
【０００８】
一態様において、無線通信システムにおける端末（ＵＥ；ｕｓｅｒ  ｅｑｕｉｐｍｅｎｔ）によるパワーヘッドルーム報告（ＰＨＲ；ｐｏｗｅｒ  ｈｅａｄｒｏｏｍ  ｒｅｐｏｒｔ）を伝送する方法が提供される。前記方法は、第１のｅＮＢ（ｅＮｏｄｅＢ）によって構成された第１の搬送波グループのための第１のＰＨＲを第２のｅＮＢに伝送し、及び前記第２のｅＮＢによって構成された第２の搬送波グループのための第２のＰＨＲを前記第１のｅＮＢに伝送することを含む。前記第１のＰＨＲ及び前記第２のＰＨＲは、ＰＵＣＣＨ（ｐｈｙｓｉｃａｌ  ｕｐｌｉｎｋ  ｃｏｎｔｒｏｌ  ｃｈａｎｎｅｌ）及びＰＵＳＣＨ（ｐｈｙｓｉｃａｌ  ｕｐｌｉｎｋ  ｓｈａｒｅｄ  ｃｈａｎｎｅｌ）の同時伝送が構成されたか否かに関係なく、ＰＵＣＣＨに対するＰＨＲを含む。
【０００９】
他の態様において、無線通信システムにおける端末（ＵＥ；ｕｓｅｒ  ｅｑｕｉｐｍｅｎｔ）が提供される。前記端末は、無線信号を伝送または受信するＲＦ（ｒａｄｉｏ  ｆｒｅｑｕｅｎｃｙ）部と、前記ＲＦ部と連結されるプロセッサとを備え、前記プロセッサは、第１のｅＮＢ（ｅＮｏｄｅＢ）によって構成された第１の搬送波グループのための第１のＰＨＲを第２のｅＮＢに伝送し、及び前記第２のｅＮＢによって構成された第２の搬送波グループのための第２のＰＨＲを前記第１のｅＮＢに伝送するように構成される。前記第１のＰＨＲ及び前記第２のＰＨＲは、ＰＵＣＣＨ（ｐｈｙｓｉｃａｌ  ｕｐｌｉｎｋ  ｃｏｎｔｒｏｌ  ｃｈａｎｎｅｌ）及びＰＵＳＣＨ（ｐｈｙｓｉｃａｌ  ｕｐｌｉｎｋ  ｓｈａｒｅｄ  ｃｈａｎｎｅｌ）の同時伝送が構成されたか否かに関係なく、ＰＵＣＣＨに対するＰＨＲを含む。
【発明の効果】
【００１０】
ＰＨＲが効率的に伝送され得る。
【図面の簡単な説明】
【００１１】
【図１】無線通信システムを示す。
【図２】３ＧＰＰ  ＬＴＥの無線フレームの構造を示す。
【図３】１つのＤＬスロットに対する資源グリッド（ｒｅｓｏｕｒｃｅ  ｇｒｉｄ）を示す。
【図４】ＤＬサブフレームの構造を示す。
【図５】ＵＬサブフレームの構造を示す。
【図６】３ＧＰＰ  ＬＴＥ−Ａの搬送波集合の例を示す。
【図７】大型セル及び小型セルへの二重連結の例を示す。
【図８】パワーヘッドルームＭＡＣ  ＣＥを示す。
【図９】拡張されたパワーヘッドルームＭＡＣ  ＣＥを示す。
【図１０】本発明の一実施形態によってＰＨＲを伝送するための方法の例を示す。
【図１１】本発明の実施形態が実現される無線通信システムのブロック図である。
【発明を実施するための形態】
【００１２】
以下において説明される技術、装置、及びシステムは、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような種々の無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）として実現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術として実現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術として実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下りリンクでＯＦＤＭＡを採用し、上向きリンクでＳＣ−ＦＤＭＡを採用する。ＬＴＥ−Ａ（ａｄｖａｎｃｅｄ）は、３ＧＰＰ  ＬＴＥの進化である。説明を明確にするために、本明細書は、３ＧＰＰ  ＬＴＥ／ＬＴＥ−Ａに焦点を合わせる。しかし、本発明の技術的特徴がこれに制限されるものではない。
【００１３】
図１は、無線通信システムを示す。無線通信システム１０は、少なくとも１つの基地局（１１；ＢＳ；ｂａｓｅ  ｓｔａｔｉｏｎ）を含む。各ＢＳ（１１）は、特定の地理的領域（一般に、セルという）１５ａ、１５ｂ、１５ｃに対して通信サービスを提供する。各セルは、さらに複数の領域（セクタともいう）に分けることができる。端末（１２；ＵＥ；ｕｓｅｒ  ｅｑｕｉｐｍｅｎｔ）は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語として呼ばれうる。ＢＳ（１１）は、一般に、ＵＥ（１２）と通信する固定された地点をいい、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語として呼ばれうる。
【００１４】
ＵＥは、通常１つのセルに属するが、ＵＥが属したセルをサービングセル（ｓｅｒｖｉｎｇ  ｃｅｌｌ）という。サービングセルに対して通信サービスを提供するＢＳをサービングＢＳという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するＢＳを隣接ＢＳという。サービングセル及び隣接セルは、ＵＥを基準として相対的に決定される。
【００１５】
この技術は、下りリンク（ＤＬ；ｄｏｗｎｌｉｎｋ）または上りリンク（ＵＬ；ｕｐｌｉｎｋ）に使用することができる。一般に、ＤＬは、ＢＳ（１１）からＵＥ（１２）への通信を意味し、ＵＬは、ＵＥ（１２）からＢＳ（１１）への通信を意味する。ＤＬにおいて送信機は、ＢＳ（１１）の一部であり、受信機は、ＵＥ（１２）の一部でありうる。ＵＬにおいて送信機は、ＵＥ（１２）の一部であり、受信機は、ＢＳ（１１）の一部でありうる。
【００１６】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムののうち、いずれか１つでありうる。ＭＩＭＯシステムは、複数の伝送アンテナと複数の受信アンテナとを使用する。ＭＩＳＯシステムは、複数の伝送アンテナと１つの受信アンテナとを使用する。ＳＩＳＯシステムは、１つの伝送アンテナと１つの受信アンテナとを使用する。ＳＩＭＯシステムは、１つの伝送アンテナと複数の受信アンテナとを使用する。以下において伝送アンテナは、１つの信号またはストリームを伝送するのに使用される物理的または論理的アンテナを意味し、受信アンテナは、１つの信号またはストリームを受信するのに使用される物理的または論理的アンテナを意味する。
【００１７】
図２は、３ＧＰＰ  ＬＴＥの無線フレームの構造を示す。図２に示すように、無線フレームは、１０個のサブフレームを含む。サブフレームは、時間領域で２個のスロットを含む。１つのサブフレームを伝送するのにかかる時間は、ＴＴＩ（ｔｒａｎｓｍｉｓｓｉｏｎ  ｔｉｍｅ  ｉｎｔｅｒｖａｌ）として定義される。例えば、１つのサブフレームの長さは１ｍｓでありうるし、１つのスロットの長さは０．５ｍｓでありうる。１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥがＤＬでＯＦＤＭＡを使用するので、ＯＦＤＭシンボルは、１つのシンボル区間を表現するためのものである。ＯＦＤＭシンボルは、多重接続方式によって他の名称で呼ばれることができる。例えば、ＵＬ多重接続方式としてＳＣ−ＦＤＭＡが使用される場合、ＳＣ−ＦＤＭＡシンボルということができる。資源ブロック（ＲＢ；ｒｅｓｏｕｒｃｅ  ｂｌｏｃｋ）は、資源割当単位であって、１つのスロットで複数の連続する副搬送波を含む。前記無線フレームの構造は、一例に過ぎないものである。したがって、無線フレームに含まれるサブフレームの個数やサブフレームに含まれるスロットの個数、またはスロットに含まれるＯＦＤＭシンボルの個数は様々に変更され得る。
【００１８】
３ＧＰＰ  ＬＴＥは、１つのスロットが一般ＣＰ（ｃｙｃｌｉｃ  ｐｒｅｆｉｘ）で７ＯＦＤＭシンボルを含み、拡張ＣＰで６ＯＦＤＭシンボルを含むことと定義する。
【００１９】
無線通信システムは、大きくＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けることができる。ＦＤＤ方式によれば、ＵＬ伝送とＤＬ伝送とが互いに異なる周波数帯域を占めながらなされる。ＴＤＤ方式によれば、ＵＬ伝送とＤＬ伝送とが同じ周波数帯域を占めながら互いに異なる時間になされる。ＴＤＤ方式のチャネル応答は、実質的に相互的（ｒｅｃｉｐｒｏｃａｌ）である。これは、与えられた周波数領域でＤＬチャネル応答とＵＬチャネル応答とがほとんど同一であるということである。したがって、ＴＤＤに基づいた無線通信システムにおいてＤＬチャネル応答は、ＵＬチャネル応答から得られることができるという長所がある。ＴＤＤ方式は、全体周波数帯域をＵＬ伝送とＤＬ伝送とに時分割するので、ＢＳによるＤＬ伝送とＵＥによるＵＬ伝送とが同時に行われ得ない。ＵＬ伝送とＤＬ伝送とがサブフレーム単位に区分されるＴＤＤシステムにおいて、ＵＬ伝送とＤＬ伝送とは、互いに異なるサブフレームで行われる。
【００２０】
図３は、１つのＤＬスロットに対する資源グリッド（ｒｅｓｏｕｒｃｅ  ｇｒｉｄ）を示す。図３に示すように、ＤＬスロットは、時間領域で複数のＯＦＤＭシンボルを含む。ここで、１つのＤＬスロットは、７ＯＦＤＭシンボルを含み、１つのＲＢは、周波数領域で１２副搬送波を含むことを例示的に記述するが、これに制限されるものではない。資源グリッド上の各要素を資源要素（ｒｅｓｏｕｒｃｅ  ｅｌｅｍｅｎｔ）という。１つのＲＢは、７×１２資源要素を含む。ＤＬスロットに含まれる資源ブロックの数（ＮDL）は、ＤＬ伝送帯域幅に従属する。ＵＬスロットの構造もＤＬスロットの構造と同様でありうる。
【００２１】
ＯＦＤＭシンボルの数と副搬送波の数とは、ＣＰの長さ、周波数間隔などによって様々に変更され得る。例えば、ノーマルＣＰの場合、ＯＦＤＭシンボルの数は７であり、拡張ＣＰの場合、ＯＦＤＭシンボルの数は６である。１つのＯＦＤＭシンボルで副搬送波の数は、１２８、２５６、５１２、１０２４、１５３６及び２０４８のうち、１つを選定して使用することができる。
【００２２】
図４は、ＤＬサブフレームの構造を示す。図４に示すように、サブフレーム内の１番目のスロットの先行の最大３ＯＦＤＭシンボルは、制御チャネルが割り当てられる制御領域である。残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域に対応する。３ＧＰＰ  ＬＴＥで使用されるＤＬ制御チャネルの例示として、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＰＨＩＣＨ（ｐｈｙｓｉｃａｌ  ＨＡＲＱ  ｉｎｄｉｃａｔｏｒ  ｃｈａｎｎｅｌ）などを含む。ＰＣＦＩＣＨは、サブフレームの１番目のＯＦＤＭシンボルで伝送され、サブフレーム内で制御チャネルの伝送に使用されるＯＦＤＭシンボルの個数と関連した情報を運ぶ。ＰＨＩＣＨは、ＵＬ伝送に対する応答であり、ＨＡＲＱ（ｈｙｂｒｉｄ  ａｕｔｏｍａｔｉｃ  ｒｅｐｅａｔ  ｒｅｑｕｅｓｔ）ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）信号を運ぶ。ＰＤＣＣＨを介して伝送される制御情報は、ＤＣＩ（ｄｏｗｎｌｉｎｋ  ｃｏｎｔｒｏｌ  ｉｎｆｏｒｍａｔｉｏｎ）である。ＤＣＩは、ＵＬまたはＤＬスケジューリング情報、若しくは任意のＵＥグループのためのＵＬ伝送電力制御（ＴＰＣ；ｔｒａｎｓｍｉｔ  ｐｏｗｅｒ  ｃｏｎｔｒｏｌ）命令を含む。
【００２３】
ＰＤＣＣＨは、ＤＬ−ＳＣＨ（ｄｏｗｎｌｉｎｋ−ｓｈａｒｅｄ  ｃｈａｎｎｅｌ）の資源割当及び伝送フォーマット、ＵＬ−ＳＣＨ（ｕｐｌｉｎｋ  ｓｈａｒｅｄ  ｃｈａｎｎｅｌ）の資源割当情報、ページングチャネル上のページング情報、ＤＬ−ＳＣＨ上のシステム情報、ＰＤＳＣＨ上に伝送されるランダムアクセス応答のような上位階層制御メッセージの資源割当、任意のＵＥグループ内の個別ＵＥに対するＴＰＣ命令の集合、及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で伝送され得る。ＵＥは、複数のＰＤＣＣＨをモニタリングすることができる。ＰＤＣＣＨは、１つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に伝送される。ＣＣＥは、無線チャネルの状態に応じた符号化率を有するＰＤＣＣＨを提供するために使用される論理的割当単位である。ＣＣＥは、複数のＲＥＧ（ｒｅｓｏｕｒｃｅ  ｅｌｅｍｅｎｔ  ｇｒｏｕｐ）に対応する。
【００２４】
ＣＣＥの数とＣＣＥ等により提供される符号化率の連関関係によってＰＤＣＣＨのフォーマット及び可能なＰＤＣＣＨのビット数が決定される。ＢＳは、ＵＥに伝送しようとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣは、ＰＤＣＣＨの所有者（ｏｗｎｅｒ）や用途によって固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）でマスキングされる。特定ＵＥのためのＰＤＣＣＨであれば、ＵＥの固有識別子、例えば、Ｃ−ＲＮＴＩ（ｃｅｌｌ−ＲＮＴＩ）がＣＲＣにマスキングされ得る。または、ページングメッセージのためのＰＤＣＣＨであれば、ページング指示識別子、例えば、Ｐ−ＲＮＴＩ（ｐａｇｉｎｇ−ＲＮＴＩ）がＣＲＣにマスキングされ得る。システム情報のためのＰＤＣＣＨであれば、ＳＩ−ＲＮＴＩ（ｓｙｓｔｅｍ  ｉｎｆｏｒｍａｔｉｏｎ−ＲＮＴＩ）がＣＲＣにマスキングされ得る。ＵＥのランダムアクセスプリアンブルの伝送に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされ得る。
【００２５】
図５は、ＵＬサブフレームの構造を示す。図５に示すように、ＵＬサブフレームは、周波数領域で制御領域とデータ領域とに分けられることができる。制御領域は、ＵＬ制御情報が伝送されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。データ領域は、ユーザデータが伝送されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層で指示される場合、ＵＥは、ＰＵＳＣＨとＰＵＣＣＨの同時伝送を支援することができる。１つのＵＥに対するＰＵＣＣＨは、サブフレームで資源ブロックペア（ＲＢ  ｐａｉｒ）に割り当てられる。ＲＢペアに属する資源ブロックは、第１のスロットと第２のスロットとの各々で互いに異なる副搬送波を占める。これをＰＵＣＣＨに割り当てられるＲＢペアが、スロット境界で周波数がホッピング（ｆｒｅｑｕｅｎｃｙ−ｈｏｐｐｅｄ）されたという。ＵＥは、時間に応じてＵＬ制御情報を互いに異なる副搬送波を介して伝送することにより、周波数ダイバーシティ利得を得ることができる。
【００２６】
ＰＵＣＣＨ上に伝送されるＵＬ制御情報は、ＨＡＲＱ  ＡＣＫ／ＮＡＣＫ、ＤＬチャネル状態を表すＣＱＩ（ｃｈａｎｎｅｌ  ｑｕａｌｉｔｙ  ｉｎｄｉｃａｔｏｒ）、ＵＬ無線資源割当要求であるＳＲ（ｓｃｈｅｄｕｌｉｎｇ  ｒｅｑｕｅｓｔ）などを含むことができる。
【００２７】
ＰＵＳＣＨは、伝送チャネルであるＵＬ−ＳＣＨにマッピングされる。ＰＵＳＣＨ上に伝送されるＵＬデータは、ＴＴＩの間に伝送されるＵＬ−ＳＣＨのためのデータブロックである伝送ブロックでありうる。伝送ブロックは、ユーザ情報でありうる。または、ＵＬデータは、多重化された（ｍｕｌｔｉｐｌｅｘｅｄ）データでありうる。多重化されたデータは、ＵＬ−ＳＣＨのための伝送ブロックと制御情報とが多重化して得られたデータでありうる。例えば、データに多重化される制御情報は、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などを含むことができる。または、ＵＬデータは、制御情報のみで構成されることもできる。
【００２８】
搬送波集合（Ｃａｒｒｉｅｒ  ａｇｇｒｅｇａｔｉｏｎ：ＣＡ）が記述される。これは、３ＧＰＰ  ＴＳ  ３６．３００  Ｖ１１．６．０の第５．５節を参照することができる（２０１３−０６）。
【００２９】
ＣＡにおいて、２つまたはそれ以上の構成搬送波（ｃｏｍｐｏｎｅｎｔ  ｃａｒｒｉｅｒ：ＣＣ）が１００ＭＨｚまたはそれ以上に達するより広い伝送帯域幅を支援するために集合される。ＵＥは、その能力によって単一または多重のＣＣを受信するか、送信することができる。ＣＡに対して単一なタイミングアドバンス（ｔｉｍｉｎｇ  ａｄｖａｎｃｅ）能力を有するＵＥは、同じタイミングアドバンスを共有する多重のサービングセル（１つのタイミングアドバンスグループ（ＴＡＧ）内でグループをなす多重のサービングセル）に該当する多重のＣＣ上で同時に受信及び／又は送信を行うことができる。ＣＡに対して多重のタイミングアドバンス能力を有するＵＥは、互いに異なるタイミングアドバンスを共有する多重のサービングセル（多重のＴＡＧ内でグループをなす多重のサービングセル）に該当する多重のＣＣ上で同時に受信及び／又は送信を行うことができる。Ｅ−ＵＴＲＡＮは、各ＴＡＧが少なくとも１つのサービングセルを含むことを保障する。ＣＡ能力を有さないＵＥは、単一ＣＣ上で受信し、１つのサービングセルにのみ該当する単一ＣＣ上で送信することができる（１つのＴＡＧに１つのサービングセル）。
【００３０】
サービングセルは、下りリンク及び選択的に上りリンク資源の組み合わせである。すなわち、サービングセルは、１つのＤＬ  ＣＣと１つのＵＬ  ＣＣとを含むことができる。他の方式として、サービングセルは、１つのＤＬ  ＣＣで構成されることができる。ＣＡは、複数のサービングセルを有することができる。前記複数のサービングセルは、１つの１次サービングセル（ＰＣｅｌｌ）及び少なくとも１つの２次サービングセル（ＳＣｅｌｌ）で構成されることができる。ＰＵＣＣＨ伝送、任意接近手順などは、ＰＣｅｌｌのみで行われることができる。
【００３１】
図６は、３ＧＰＰ  ＬＴＥ−Ａの搬送波集合（ｃａｒｒｉｅｒａｇｇｒｅｇａｔｉｏｎ）の例を見せる。図６に示すように、各ＣＣは、２０ＭＨｚの帯域幅を有し、これは、３ＧＰＰ  ＬＴＥの帯域幅である。５個までのＣＣまたはそれ以上が集合され得るし、したがって、最大１００ＭＨｚの帯域幅またはそれ以上が構成され得る。
【００３２】
ＣＡは、隣接及び非隣接ＣＣの全てで支援され、各ＣＣは、周波数ドメインで数秘学（ｎｕｍｅｒｏｌｏｇｙ）Ｒｅｌ−８／９を使用して最大１１０ＲＢに制限される。
【００３３】
ＵＥが、同じｅＮＢ及びＵＬ及びＤＬでの互いに異なる可能な、互いに異なる帯域幅の、互いに異なる数のＣＣを集合するように構成することも可能である。構成できるＤＬ  ＣＣの個数は、ＵＥのＤＬ集合能力によって変わる。構成できるＵＬ  ＣＣの個数は、ＵＥのＵＬ集合能力によって変わる。一般的なＴＤＤ配置において、ＣＣの個数とＵＬ及びＤＬで各ＣＣの帯域幅は同一である。構成できる複数のＴＡＧは、ＵＥのＴＡＧ能力によって変わる。
【００３４】
同じｅＮＢから由来するＣＣが同じカバレッジを提供する必要はない。
【００３５】
ＣＣは、ＬＴＥ  Ｒｅｌ−８／９と互換性を有するようになるであろう。それにもかかわらず、Ｒｅｌ−８／９  ＵＥがＣＣ上に位置することを避けるために、既存のメカニズム（例えば、バーリング（ｂａｒｒｉｎｇ））が使用され得る。
【００３６】
隣接するように集合されたＣＣの中心周波数間の間隔は、３００ｋＨｚの倍数になるべきであろう。これは、Ｒｅｌ−８／９の１００ｋＨｚ周波数ラスタと互換性を有するようにし、同時に１５ｋＨｚの間隔を有する副搬送波の直交性を保存するためである。集合のシナリオによって、ｎ×３００ｋＨｚ間隔は、隣接するＣＣ間に使用されない少ない数の副搬送波を挿入することにより、さらに容易に実現されることができる。
【００３７】
ＴＤＤ  ＣＡに対して、下りリンク／上りリンク構成は、同じ帯域にある構成搬送波にわたって同様であり、互いに異なる帯域にある構成搬送波にわたっては同様であるか、互いに異なることができる。
【００３８】
二重連結が記述される。
【００３９】
図７は、大型セル及び小型セルへの二重連結の例を示す。図７に示すように、ＵＥは、大型セル及び小型セルの両方に連結されている。大型セルにサービスを提供する大型セルｅＮＢは、二重連結でＭｅＮＢであり、小型セルにサービスを提供する小型セルｅＮＢは、二重連結でＳｅＮＢである。前記ＭｅＮＢは、少なくともＳ１−ＭＭＥを終結させるｅＮＢであり、したがって、二重連結でのＣＮに向かう移動性アンカとして作用する。大型ｅＮＢが存在する場合、前記大型ｅＮＢは、一般的にＭｅＮＢとして機能することができる。ＳｅＮＢは、ＵＥに対する追加的な無線資源を提供するｅＮＢであり、二重連結では、ＭｅＮＢではない。前記ＳｅＮＢは、一般的に最善の努力（ＢＥ）類型のトラフィックを伝送するように構成されることができ、それに対し、前記ＭｅＮＢは、ＶｏＩＰ、ストリーミングデータ、または信号処理データのような他の類型のトラフィックを伝送するように構成されることができる。ＭｅＮＢ及びＳｅＮＢ間のインタフェースは、Ｘｎインタフェースと呼ばれる。前記Ｘｎインタフェースは、理想的でないことと仮定され、言い替えれば、Ｘｎインタフェースでの遅延が６０ｍｓに達することができる。
【００４０】
３ＧＰＰ  ＬＴＥの現在規格によるパワーヘッドルームが記述される。これは、３ＧＰＰ  ＴＳ  ３６．２１３  Ｖ１１．３．０の第５．１．１．２節として参照されることができる（２０１３−０６）。ＵＥパワーヘッドルーム報告は、２つの種類が定義されている。ＵＥパワーヘッドルームは、サービングセルｃに対するサブフレームｉに対して有効である。
【００４１】
タイプ１パワーヘッドルームが記述される。ＵＥがサービングセルｃに対するサブフレームｉ内のＰＵＣＣＨ無しでＰＵＳＣＨを伝送する場合、タイプ１報告のためのパワーヘッドルームは、数式１を使用して計算される。
【００４２】
〔数式１〕
【数１】
0006522623.tif 000002
【００４３】
数式１において、ＰCMAX、c（ｉ）は、サービングセルｃに対してサブフレームｉ内で構成されたＵＥ伝送パワーである。ＭPUSCH、c（ｉ）は、サブフレームｉ及びサービングセルｃに対して有効な資源ブロックの個数で表現されるＰＵＳＣＨ資源指定の帯域幅である。ＰO_PUSCH、c（ｊ）は、サービングセルｃに対して、ｊ＝０と１に対して上位階層により提供されるコンポーネントＰO_NOMINAL_PUSCH、c（ｊ）及びｊ＝０と１に対して上位階層により提供されるコンポーネントＰO_UE_PUSCH、c（ｊ）の合計で構成されるパラメータである。ｊ＝０または１に対して、αc∈｛０，０．４，０．５，０．６，０．７，０．８，０．９，１｝はサービングセルｃに対して上位階層により提供される３ビットパラメータである。ｊ＝２に対して、αc（ｊ）＝１である。ＰＬcは、ｄＢ内のサービングセルｃに対してＵＥで計算された下りリンク経路損失評価である。
【００４４】
ＵＥがサービングセルｃに対するサブフレームｉ内のＰＵＣＣＨとしてＰＵＳＣＨを伝送する場合、タイプ１報告に対するパワーヘッドルームは、数式２を使用して計算される。
【００４５】
〔数式２〕
【数２】
0006522623.tif 000003
【００４６】
数式２において、ＭPUSCH、c（ｉ）、ＰO_PUSCH、c（ｊ）、αc（ｊ）、ＰＬcは、数式１で計算される。Ｐ〜CMAX、c（ｉ）は、サブフレームｉ内でＰＵＳＣＨのみが伝送されることと仮定して、３ＧＰＰ    ＴＳ  ３６．１０１での要件に基づいて計算される。このような場合、物理階層は、ＰCMAX、c（ｉ）の代わりに、Ｐ〜CMAX、c（ｉ）を上位階層に伝達する。
【００４７】
前記ＵＥがサービングセルｃに対してサブフレームｉ内でＰＵＳＣＨを伝送しない場合、タイプ１報告に対するパワーヘッドルームが数式３を使用して計算される。
【００４８】
〔数式３〕
【数３】
0006522623.tif 000004
【００４９】
数式３において、Ｐ〜CMAX、c（ｉ）は、最大パワー縮小（ＭＰＲ）＝０ｄＢ、追加的なＭＰＲ（Ａ−ＭＰＲ）＝０ｄＢ、パワー管理ＭＰＲ（Ｐ−ＭＰＲ）＝０ｄＢ、及びΔＴC＝０ｄＢを仮定して計算され、このとき、ＭＰＲ、Ａ−ＭＰＲ、Ｐ−ＭＰＲ、及びΔＴCは、３ＧＰＰ  ＴＳ  ３６．１０１で定義される。ＰO_PUSCH、c（１）、αc（１）、ＰＬcは、数式１で定義される。
【００５０】
タイプ２パワーヘッドルームが記述される。前記ＵＥが１次セルに対してサブフレームｉ内のＰＵＣＣＨと同時にＰＵＳＣＨを伝送する場合、タイプ２報告に対するパワーヘッドルームは、数式４を使用して計算される。
【００５１】
〔数式４〕
【数４】
0006522623.tif 000005
【００５２】
数式４において、ＰCMAX、c（ｉ）、ＭPUSCH、c（ｉ）、ＰO_PUSCH、c（ｊ）、αc（ｊ）、ＰＬcは、数式１で計算された１次セルパラメータである。ＰO_PUCCHは、上位階層により提供されるパラメータＰO_NOMINAL_PUCCH及び上位階層により提供されるパラメータＰO_UE_PUCCHの合計で構成されたパラメータである。ｈ（ｎCQI、ｎHARQ、ｎSR）は、ＰＵＣＣＨフォーマットに依存する値であって、このとき、ｎCQIは、チャネル品質情報（ｃｈａｎｎｅｌ  ｑｕａｌｉｔｙ  ｉｎｆｏｒｍａｔｉｏｎ：ＣＱＩ）の情報ビットの個数に該当する。サブフレームｉがＵＬ−ＳＣＨに対していかなる連関する伝送ブロックも有さないＵＥのためのＳＲに対して構成された場合、ｎSR＝１であり、そうでない場合、ｎSR＝０である。パラメータΔP_PUCCH（Ｆ）は、上位階層により提供される。ＵＥが２つのアンテナポート上でＰＵＣＣＨを伝送するように上位階層により構成された場合、ΔTxD（Ｆ′）の値は、上位階層により提供される。そうでない場合、ΔTxD（Ｆ′）＝０である。
【００５３】
ＵＥが１次セルに対してサブフレームｉ内でＰＵＣＣＨ無しでＰＵＳＣＨを伝送する場合、タイプ２報告に対するパワーヘッドルームは、数式５を使用して計算される。
【００５４】
〔数式５〕
【数５】
0006522623.tif 000006
【００５５】
数式５において、ＰCMAX、c（ｉ）、ＭPUSCH、c（ｉ）、ＰO_PUSCH、c（ｊ）、αc（ｊ）、ＰＬcは、数式１で定義された１次セルパラメータである。ＰO_PUCCHは、数式４で定義される。
【００５６】
ＵＥが１次セルに対してサブフレームｉ内でＰＵＳＣＨ無しでＰＵＣＣＨを伝送する場合、タイプ２報告に対するパワーヘッドルームは、数式６を使用して計算される。
【００５７】
〔数式６〕
【数６】
0006522623.tif 000007
【００５８】
数式６において、ＰO_PUSCH、c（１）、αc（１）、ＰＬcは、数式１で定義された１次セルパラメータである。ＰCMAX、c（ｉ）、ＰO_PUCCH、ｈ（ｎCQI、ｎHARQ、ｎSR）、ΔP_PUCCH（Ｆ）、ΔTxD（Ｆ′）は、さらに数式４で定義される。
【００５９】
ＵＥが１次セルに対してサブフレームｉ内でＰＵＣＣＨまたはＰＵＳＣＨを伝送しない場合、タイプ２報告に対するパワーヘッドルームは、数式７を使用して計算される。
【００６０】
〔数式７〕
【数７】
0006522623.tif 000008
【００６１】
数式７において、Ｐ〜CMAX、c（ｉ）は、ＭＰＲ＝０ｄＢ、Ａ−ＭＰＲ＝０ｄＢ、Ｐ−ＭＰＲ＝０ｄＢ、及びΔＴC＝０ｄＢを仮定して計算され、このとき、ＭＰＲ、Ａ−ＭＰＲ、Ｐ−ＭＰＲ、及びΔＴCは、３ＧＰＰ  ＴＳ  ３６．１０１で定義される。ＰO_PUSCH、c（１）、αc（１）、ＰＬcは、数式１で定義された１次セルパラメータである。ＰCMAX、c（ｉ）、ＰO_PUCCH、ｈ（ｎCQI、ｎHARQ、ｎSR）、ΔP_PUCCH（Ｆ）、ΔTxD（Ｆ′）は、数式４で定義される。
【００６２】
パワーヘッドルームは、［４０；−２３］ｄＢの範囲内において１ｄＢの単位で最も近い値に調整されるべきであろうし、物理階層により上位階層に伝達される。
【００６３】
パワーヘッドルーム報告（ＰＨＲ）について記述する。これに対しては、３ＧＰＰ  ＴＳ  ３６．３２１  Ｖ１１．３．０（２０１３−０６）の第５．４．６節を参照することができる。無線資源制御（Ｒａｄｉｏ  ｒｅｓｏｕｒｃｅ  ｃｏｎｔｒｏｌ：ＲＲＣ）は、２つのタイマーであるｐｅｒｉｏｄｉｃＰＨＲ−Ｔｉｍｅｒ及びｐｒｏｈｉｂｉｔＰＨＲ−Ｔｉｍｅｒを構成し、測定された下りリンク経路損失での変化及びＰＨＲを触発させるためのパワー管理（Ｐ−ＭＰＲcにより許容）により要求されるパワーバックオフ（ｂａｃｋｏｆｆ）を設定するｄｌ−ＰａｔｈｌｏｓｓＣｈａｎｇｅの信号を生成することにより、パワーヘッドルーム報告を制御する。
【００６４】
次のイベントのうち、１つが起こる場合、ＰＨＲが触発されるようになるであろう。
【００６５】
−ｐｒｏｈｉｂｉｔＰＨＲ−Ｔｉｍｅｒが満了するか、既に満了し、ＵＥが新しい伝送のためのＵＬ資源を有するとき、経路損失がＰＨＲの最後の伝送後に経路損失基準として使用された少なくとも１つの活性化されたサービングセルに対してｄｌ−ＰａｔｈｌｏｓｓＣｈａｎｇｅ  ｄＢ以上に変更される場合；
【００６６】
−ｐｅｒｉｏｄｉｃＰＨＲ−Ｔｉｍｅｒが満了する場合；
【００６７】
−パワーヘッドルーム報告機能が上位階層により構成されるか、再構成され、当該構成や再構成が当該機能を非活性化させない場合；
【００６８】
−構成された上りリンクを有するＳＣｅｌｌが活性化される場合。
【００６９】
−ＵＥが新しい伝送のためのＵＬ資源を有するとき、ｐｒｏｈｉｂｉｔＰＨＲ−Ｔｉｍｅｒが満了するか、既に満了し、構成された上りリンクを有する活性化されたどのサービングセルに対するこのようなＴＴＩで次が成立する場合：伝送のために割り当てられたＵＬ資源があるか、このセル上のＰＵＣＣＨ伝送があり、ＵＥが伝送またはこのセル上のＰＵＣＣＨ伝送のために割り当てられたＵＬ資源を有するとき、このセルに対してパワー管理（Ｐ−ＭＰＲcにより許容）により要求されるパワーバックオフ（ｂａｃｋｏｆｆ）がＰＨＲの最後の伝送後にｄｌ−ＰａｔｈｌｏｓｓＣｈａｎｇｅ  ｄＢ以上に変更された場合。
【００７０】
ＵＥがこのようなＴＴＩのための新しい伝送のために割り当てられたＵＬ資源を有する場合：
【００７１】
１＞これが最後の媒体接近制御（ＭＡＣ）リセット以後の新しい伝送のために割り当てられた第１のＵＬ資源である場合、ｐｅｒｉｏｄｉｃＰＨＲ−Ｔｉｍｅｒを始め；
【００７２】
１＞パワーヘッドルーム報告手順が少なくとも１つのＰＨＲが触発され、取り消されていないことと決定する場合、及び；
【００７３】
１＞論理チャネル優先権指定の結果として、前記割り当てられたＵＬ資源が、ｅｘｔｅｎｄｅｄＰＨＲが構成されていないとき、ＰＨＲ  ＭＡＣ制御要素とともに、そのサブヘッダを、またはｅｘｔｅｎｄｅｄＰＨＲが構成されたとき、拡張されたＰＨＲ  ＭＡＣ制御要素とともに、そのサブヘッダを調整できる場合：
【００７４】
２＞ｅｘｔｅｎｄｅｄＰＨＲが構成された場合：
【００７５】
３＞構成された上りリンクを有する活性化された各サービングセルに対して：
【００７６】
４＞タイプ１パワーヘッドルームの値を取得；
【００７７】
４＞ＵＥが、このＴＴＩのために、サービングセル上での伝送のために割り当てられたＵＬ資源を有している場合：
【００７８】
５＞該当するＰCMAX、cフィールドに対する値を物理階層から取得；
【００７９】
３＞ｓｉｍｕｌｔａｎｅｏｕｓＰＵＣＣＨ−ＰＵＳＣＨが構成される場合：
【００８０】
４＞ＰＣｅｌｌに対するタイプ２パワーヘッドルームの値を取得；
【００８１】
４＞ＵＥが、このＴＴＩ内でＰＵＣＣＨ伝送を有している場合：
【００８２】
５＞該当するＰCMAX、cフィールドに対する値を物理階層から取得；
【００８３】
３＞マルチプレクス及びアセンブリ手順に、物理階層により報告された値に基づいて拡張されたＰＨＲ  ＭＡＣ制御要素を生成し、伝送することを指示；
【００８４】
２＞その他の場合：
【００８５】
３＞タイプ１パワーヘッドルームの値を物理階層から取得；
【００８６】
３＞マルチプレクス及びアセンブリ手順に、物理階層により報告された値に基づいてＰＨＲ  ＭＡＣ制御要素を生成し、伝送することを指示；
【００８７】
２＞ｐｅｒｉｏｄｉｃＰＨＲ−Ｔｉｍｅｒを始めるか、再開始；
【００８８】
２＞ｐｒｏｈｉｂｉｔＰＨＲ−Ｔｉｍｅｒを始めるか、再開始；
【００８９】
２＞触発された全てのＰＨＲ（等）を取り消す。
【００９０】
パワーヘッドルームＭＡＣ制御要素（ＣＥ）及び拡張されたパワーヘッドルームＭＡＣ  ＣＥについて記述する。これは、３ＧＰＰ  ＴＳ  ３６．３２１  Ｖ１１．３．０（２０１３−０６）の第６．３．１．６節を参照することができる。
【００９１】
パワーヘッドルームＭＡＣ  ＣＥは、１１０１０の値を有する論理チャネル識別子（ｌｏｇｉｃａｌ  ｃｈａｎｎｅｌ  ｉｄｅｎｔｉｆｉｅｒ：ＬＣＩＤ）があるＭＡＣプロトコルデータユニット（ｐｒｏｔｏｃｏｌ  ｄａｔａ  ｕｎｉｔ：ＰＤＵ）サブヘッダにより識別される。
【００９２】
図８は、パワーヘッドルームＭＡＣ  ＣＥを見せる。図８を参照して、パワーヘッドルームＭＡＣ  ＣＥは、次のように定義される：
【００９３】
・Ｒ：留保されたビットであり、「０」として設定される。
【００９４】
・ＰＨ：このフィールドは、パワーヘッドルーム水準を表す。フィールドの長さは６ビットである。報告されたＰＨ及びこれに該当するパワーヘッドルーム水準が下記の表１で表される。
【００９５】
【表１】
0006522623.tif 000009
【００９６】
拡張されたパワーヘッドルームＭＡＣ  ＣＥは、１１００１の値を有するＬＣＩＤがあるＭＡＣ  ＰＤＵサブヘッダにより識別される。これは、可変サイズを有する。
【００９７】
図９は、拡張されたパワーヘッドルームＭＡＣ  ＣＥを見せる。図９を参照すれば、タイプ２ＰＨが報告されれば、タイプ２ＰＨフィールドを含む８個ビット（ｏｃｔｅｔ）が先にＳＣｅｌｌ当り、ＰＨの存在を表す８個ビット以後に含まれ、それ以後に連関されたＰCMAX、cフィールドを含む（報告された場合）８個ビットが続く。その後、ＰＣｅｌｌ及びビットマップ内で指示された各ＳＣｅｌｌに対してＳｅｒｖＣｅｌｌＩｎｄｅｘに基づいてタイプ１ＰＨフィールドを有する８個ビットと連関されたＰCMAX、cフィールドを有する（報告された場合）８個ビットが昇順に続く。
【００９８】
拡張されたパワーヘッドルームＭＡＣ  ＣＥは、次のように定義される：
【００９９】
・Ｃi：このフィールドは、ＳＣｅｌｌＩｎｄｅｘ  ｉを有するＳＣｅｌｌに対するＰＨフィールドの存在を表す。「１」に設定されたＣiフィールドは、ＳＣｅｌｌＩｎｄｅｘ  ｉを有するＳＣｅｌｌに対するＰＨフィールドが報告されたことを表す。「０」に設定されたＣiフィールドは、ＳＣｅｌｌＩｎｄｅｘｉを有するＳＣｅｌｌに対するＰＨフィールドが報告されなかったことを表す。
【０１００】
・Ｒ：留保されたビット、「０」に設定。
【０１０１】
−Ｖ：このフィールドは、ＰＨ値が実際伝送に基づくか、または基準フォーマットに基づくかを表す。タイプ１ＰＨに対して、Ｖ＝０は、ＰＵＳＣＨ上の実際伝送を表し、Ｖ＝１は、ＰＵＳＣＨ基準フォーマットが使用されたことを表す。タイプ２ＰＨに対して、Ｖ＝０は、ＰＵＣＣＨ上での実際の伝送を表し、Ｖ＝１は、ＰＵＣＣＨ基準フォーマットが使用されたことを表す。また、タイプ１及びタイプ２ＰＨの両方に対して、Ｖ＝０は、連関されたＰCMAX、cフィールドを含む８個ビットの存在を表し、Ｖ＝１は、前記連関されたＰCMAX、cフィールドを含む８個ビットが省略されたことを表す。
【０１０２】
−ＰＨ：このフィールドは、パワーヘッドルーム水準を表す。前記フィールドの長さは６ビットである。報告されたＰＨ及びこれに該当するパワーヘッドルーム水準が上述された表１に表される。
【０１０３】
−Ｐ：このフィールドは、パワー管理により、ＵＥがパワーバックオフ（ｂａｃｋｏｆｆ）を適用するか否かを表す（Ｐ−ＭＰＲcにより許される）。パワー管理によるパワーバックオフ（ｂａｃｋｏｆｆ）が適用されなかったならば、当該ＰCMAX、cフィールドが異なる値を有するようになった場合、前記ＵＥは、Ｐ＝１を設定するようになるであろう。
【０１０４】
−ＰCMAX、c：このフィールドが存在する場合、このフィールドは、以前のＰＨフィールドを計算するために使用されたＰCMAX、cまたはＰ〜CMAX、cを表す。報告されたＰCMAX、c及びこれに該当する名目上のＵＥ伝送パワー水準が表２に表されている。
【０１０５】
【表２】
0006522623.tif 000010
【０１０６】
以下では、本発明の実施形態に係るパワーヘッドルーム伝送方法が記述される。本発明の一実施形態は、インタサイト搬送波集合がＵＥに対して使用される場合を考慮することができる。インタサイト搬送波集合は、ＵＥが多重の搬送波で構成され、このとき、少なくとも２つの搬送波が理想的なバックホール（ｂａｃｋｈａｕｌ）または理想的でないバックホールにより連結され得る別のｅＮＢに連関されるものと定義されることができる。ＵＥが２つのＵＬ伝送（ＰＵＳＣＨ／ＰＵＣＣＨを含む）を同時に行うことができれば、次のような事例が考慮され得る。
【０１０７】
・事例１：理想的バックホールにわたってＦＤＤ＋ＦＤＤまたは同じＤＬ／ＵＬ構成ＴＤＤ＋ＴＤＤ
【０１０８】
・事例２：理想的でないバックホールにわたってＦＤＤ＋ＦＤＤまたは同じＤＬ／ＵＬ構成ＴＤＤ＋ＴＤＤ
【０１０９】
・事例３：理想的ＦＤＤ＋ＴＤＤまたは互いに異なるＤＬ／ＵＬ構成ＴＤＤ＋ＴＤＤ
【０１１０】
・事例４：理想的でないＦＤＤ＋ＴＤＤまたは互いに異なるＤＬ／ＵＬ構成ＴＤＤ＋ＴＤＤ
【０１１１】
ＵＥが２つのＵＬ伝送を同時に行うことができなければ、次のような場合が考慮され得る。
【０１１２】
・事例５：理想的ＦＤＤ＋ＦＤＤまたは同じＤＬ／ＵＬ構成ＴＤＤ＋ＴＤＤ
【０１１３】
・事例６：理想的でないＦＤＤ＋ＦＤＤまたは同じＤＬ／ＵＬ構成ＴＤＤ＋ＴＤＤ
【０１１４】
・事例７：理想的ＦＤＤ＋ＴＤＤまたは互いに異なるＤＬ／ＵＬ構成ＴＤＤ＋ＴＤＤ
【０１１５】
・事例８：理想的でないＦＤＤ＋ＴＤＤまたは互いに異なるＤＬ／ＵＬ構成ＴＤＤ＋ＴＤＤ
【０１１６】
以下では、便宜上、２つ以上の搬送波グループが単一ｅＮＢにより構成され、各搬送波グループがＰＵＣＣＨを受信する搬送波を有することができる場合は、「ＰＵＣＣＨオフロード（ｏｆｆｌｏａｄｉｎｇ）」と呼ぶことにする。各搬送波グループは、ＰＵＣＣＨ搬送波の個数が各搬送波グループに対して１つのみに制限されることができるが、多重の搬送波を有することができる。
【０１１７】
本発明に係る一実施形態によれば、パワーヘッドルームは、ＣＣ毎に計算されることができ、計算された全てのパワーヘッドルームは、２ｅＮＢに報告されることができる。各ＣＣに対するパワーヘッドルームとともに、ｅＮＢが自分の構成されたＰCMAX、eNBj（ｉ）相互間に交換するか、ＵＥがこのような値を他のｅＮＢに知らせることができる。前記ＵＥが２つ以上のＰCMAX、c（ｉ）で構成されたときには、パワーヘッドルームが構成された各ＰCMAX、c（ｉ）に対して計算されることができ、その後、ｅＮＢに報告されることができる。より詳しくは、ＵＥが、最大パワー値がサブフレームの各サブセットに適用される２つ以上のサブフレームのサブセットに対して使用できる２つ以上の最大パワーで構成された場合、パワーヘッドルームは、特定のサブフレームに指定された前記最大パワーを使用して計算され、報告されることができる。追加的に、全てが最大パワーで構成された２つ以上の値がさらに報告され得る。他の方式として、ＰＨＲが触発された所によって１つのパワーヘッドルームが報告され得る。例えば、ＰＨＲがサブフレームで低いパワーが構成されたままで触発された場合、低いパワーがＰＨＲを計算するために使用され得る。ＰＨＲがサブフレームで高いパワーが構成されたままで触発された場合、高いパワーがＰＨＲを計算するために使用され得る。
【０１１８】
ＰＨＲが計算されれば、搬送波当り、最大パワーとしてＰCMAX、c（ｉ）を使用するか、ＰCMAX、eNBj（ｉ）を使用するかが考慮される。選択のうちの１つは、各ｅＮＢが、各ｅＮＢに対して割り当てられたパワーと関係なく、パワー予算を知ることになるように、ＰCMAX、eNBj（ｉ）と関係なく、ＰCMAX、c（ｉ）を使用することである。これは、パワーが２つのｅＮＢ間で共有されるときに有用であろうが、パワースケーリングは、割り当てられたパワーに対してのみ搬送波グループ内で発生するようになるであろう。他の方法として、ｍｉｎ｛ＰCMAX、c（ｉ）、ＰCMAX、eNBj（ｉ）｝がＰＨＲを計算するために使用され得る。このような場合、これは、ｅＮＢの観点から増加されたパワーの量を制限するようになるであろう。したがって、これは、パワースケーリング／制限が搬送波グループ毎に決定される方式であって、よりよく整列されるであろうし、未使用のパワーが他のｅＮＢにより使用され得る。さらに他の対案的方式は、各ｅＮＢが、どれほど多くのパワーが各ｅＮＢに実際に割り当てられたかを知ることになるように、ＰCMAX、C（ｉ）またはＰCMAX、eNBj（ｉ）と関係なく、ＰCMAX（ｉ）を使用することである。
【０１１９】
詳細に記述すれば、各選択に対して、ＰＨＲ報告動作は次のとおりである。ＵＥが、ＵＬが構成されている活性化された全ての搬送波上でＰＨＲを報告すると仮定すれば、ＰＵＣＣＨが伝送される搬送波に対して、タイプ２ＰＨＲ報告がＰＵＣＣＨ／ＰＵＳＣＨ同時伝送能力／構成可能性に関係なく、強制されることとさらに仮定するようになるであろう。しかし、これは、タイプ２ＰＨＲ報告が強制されないか、使用されない場合に適用され得るであろう。
【０１２０】
１）選択１：ＰCMAX、c（ｉ）を使用−この値がＰＨＲを計算するために使用され得る。これは、上記で説明した現在規格に該当することができる。
【０１２１】
２）選択２：ＰCMAX、eNBj（ｉ）を使用−ＰCMAX、cの代わりに、この値がＰＨＲを計算するために使用されることができる。しかし、ｅＮＢがＰCMAX、c（ｉ）に基づいてＰCMAX、eNBj（ｉ）間のＰＨＲ及び蓄積されたパワーを評価できるので、このような選択は好ましくない。ＰCMAX、eNBj（ｉ）に対するＰＨＲを評価するための１つの方法は、「ＰＨＲ＋｛ＰCMAX、eNBj（ｉ）−ＰCMAX、c｝」であり、このとき、２つの値は、上位の階層により構成される。
【０１２２】
３）選択３：ＰCMAXを使用−これは、選択２と類似することができる。この値は、ＰCMAX、c（ｉ）に基づいてＰＨＲを使用して計算され得る。
【０１２３】
したがって、全般的に、ＰＨＲを計算するためにＰCMAX、c（ｉ）を使用することが好ましい。
【０１２４】
二重連結シナリオでパワーヘッドルームを報告するためのさらに他の方式は、新しい報告クラス、すなわち、クラスＡ及びクラスＢを定義することである。クラスＡは、２つの連結間に同時上りリンク伝送が発生するという仮定に基づいて決定され得る。クラスＢは、サービングセルに１つの上りリンク伝送のみが発生するという仮定に基づいて決定され得る。例えば、ＴＤＤ構成が該当する特定時間フレームで下りリンクサブフレームを定義し、一部他のサブフレームが潜在的に２つまたはそれ以上の同時上りリンク伝送を有することにより、潜在的にただ１つの上りリンク伝送のみが発生する互いに異なる上りリンクサブフレームを管理するために、ＦＤＤ及びＴＤＤ搬送波が集合され、その後、ＰCMAX、cの１つの値が各サービングセルに対して構成される場合、互いに異なるパワーヘッドルーム報告クラスが特定され得る。この方式が使用される場合、２つ（またはそれ以上）の独立した上りリンクパワー制御ループを使用することも考慮され得る。３つ以上の搬送波が集合されれば、前記クラスＡ及びクラスＢは、ＰＣｅｌｌ及びスーパーＳＣｅｌｌ間で決定され得る。
【０１２５】
２つ以上のＵＥに対するｅＮＢがインタノード資源集合を構成するシナリオを仮定すれば、ＵＥが、ｅＮＢにより前記ｅＮＢに各々構成された各サービングセルのＰＨＲを報告することと仮定することができる。例えば、２つのｅＮＢ、すなわち、ｅＮＢ１及びｅＮＢ２がＣＣ１、ＣＣ２及びＣＣ３、ＣＣ４を各々構成する。前記ＵＥは、さらにＣＣ１及びＣＣ２のＰＨＲをｅＮＢ１に、ＣＣ３及びＣＣ４のＰＨＲをｅＮＢ２に各々報告する。前記ＵＥがＰＨＲを計算するとき、測定された最大パワーは、他のｅＮＢを考慮して計算されることができる。
【０１２６】
ＰCMAXを計算する１つの例は、次の数式８に示されたように、他のｅＮＢに対して使用されたパワー（他のｅＮＢにより構成されたＣＣへのＰＵＳＣＨパワーの合計）を引くことである。
【０１２７】
〔数式８〕
【数８】
0006522623.tif 000011
【０１２８】
または、最大パワーを計算するにあって、スーパーＳＣｅｌｌへのＰＵＳＣＨパワーのみが抽出され得る。他のｅＮＢが上りリンクをスケジューリングできない場合（例えば、与えられたサブフレーム内で下りリンクサブフレームで構成された場合）、サブフレームが発生しないことができる。したがって、ＰＨＲが報告されたか（及び計算されたか）によって、サービスを提供するｅＮＢは、サブフレーム構成当り、構成できる最大パワーを評価することができる。
【０１２９】
二重連結シナリオ内でパワーヘッドルームを報告するさらに他の接近方式は、各ｅＮＢまたは各搬送波グループに１つまたはそれ以上のＰＨＲ構成を構成することである。パワーヘッドルームは、ＰＨＲ報告の各インスタンスに構成された上りリンクを有する活性化された全ての搬送波に対して計算される。言い替えれば、各搬送波に対して計算されたパワーヘッドルームは、両ｅＮＢに伝送されることができる。計算されたＰＨＲは、次のような個別的構成によって各ｅＮＢに報告されることができる。
【０１３０】
表３は、パワーヘッドルームの変更を示す。
【０１３１】
【表３】
0006522623.tif 000012
【０１３２】
集合されたＰＨＲが上りリンク構成を有する全ての活性化されたセルに対して両ｅＮＢに報告するとき、ＰＵＣＣＨまたはＰＵＳＣＨの実際伝送を表すこと（または、サービングセルに対して上位階層に報告するとき、実際ＰCMAXまたは仮想のＰCMAXを表すこと）が必要でありうる。ＵＥが仮想のＰCMAX（すなわち、ＭＰＲがないと仮定）を報告する場合が発生することを最小化するために、報告が起こるサブフレームで予定されたＰＵＳＣＨまたはＰＵＣＣＨがないとき、ＵＥは、基本構成がＰＵＳＣＨまたはＰＵＣＣＨ伝送に対して使用されることと仮定することができ（すなわち、基本的に行われる資源割当が最大パワーを計算することと仮定）、前記ＵＥは、ＰＨＲ及び各サービングセルに対して計算されたＰCMAXを報告することができる。
【０１３３】
ＰＵＣＣＨが伝送され得る各搬送波に対して、ＰＵＣＣＨ／ＰＵＳＣＨ同時伝送構成によってタイプ１ＰＨ及びタイプ２ＰＨが生成され得る。
【０１３４】
ＰＨＲが両ｅＮＢに対して活性化された全ての搬送波に対して報告されるとき、ＰＵＣＣＨ伝送が搬送波内のみで発生する場合、タイプ１ＰＨが仮想ＰCMAXとして（すなわち、実際スケジュール及びＭＰＲ値を反映しなかったことに基づいて）報告される場合がある。仮想ＰCMAXが明確でなくなることにより、少なくとも第１のｅＮＢのスケジューリング情報を全く有していない第２のｅＮＢへのＰＵＣＣＨに割り当てられた／使用されたパワーを考慮して、パワーヘッドルームが第１のｅＮＢに対してどのように計算されるかを第２のｅＮＢが分かるように、ＰＵＣＣＨが伝送されたか否かを表すフラグが追加され得る。
【０１３５】
または、二重連結が構成されるとき、ＰＵＣＣＨ／ＰＵＳＣＨ同時伝送能力と関係なく、また／または、同時ＰＵＣＣＨ／ＰＵＳＣＨ伝送が構成されたか否かに関係なく、ＵＥは、ＰＵＣＣＨを伝送できる少なくとも１つの搬送波に対してタイプ１ＰＨ及びタイプ２ＰＨの両方を報告するように要求されることができる。より詳しくは、これは、パワーヘッドルームが第２のｅＮＢに報告されるとき、第１のｅＮＢにより構成された搬送波に対して適用され得る。同様に、これは、パワーヘッドルームが第１のｅＮＢに報告されるとき、第２のｅＮＢにより構成された搬送波に対して適用され得る。
【０１３６】
図１０は、本発明の一実施形態によってＰＨＲを伝送するための方法の例を示す。ステップＳ１００において、ＵＥは、第１の搬送波グループに対する第１のＰＨＲを第２の搬送波グループに伝送する。ステップＳ１１０において、ＵＥは、第２の搬送波グループに対する第２のＰＨＲを第１の搬送波グループに伝送する。第２の搬送波グループに伝送された第１のＰＨＲ及び第１の搬送波グループに伝送された第２のＰＨＲは、ＰＵＣＣＨ／ＰＵＳＣＨの同時伝送が二重連結性及び／又は多重搬送波グループで構成されたか否かに関係なく、ＰＵＳＣＨ伝送のためのＰＨＲ（すなわち、タイプ１ＰＨＲ）及びＰＵＣＣＨ伝送のためのＰＨＲ（すなわち、タイプ２ＰＨＲ）を含むことができる。すなわち、第１のｅＮＢに伝送された第２のｅＮＢにより構成された搬送波に対するＰＨＲが第２のｅＮＢの搬送波グループ内のＰＵＣＣＨ／ＰＵＳＣＨ同時伝送の構成と関係なく、及び／または、ＰＵＣＣＨ／ＰＵＳＣＨ同時伝送能力を支援するＵＥの能力に関係なく、タイプ１ＰＨＲ及びタイプ２ＰＨＲの両方に基づくことができる。現在の規格によれば、第１のｅＮＢに伝送された第１のｅＮＢにより構成された搬送波に対するＰＨＲ及び第２のｅＮＢに伝送された第２のｅＮＢにより構成された搬送波に対するＰＨＲは、タイプ１ＰＨＲにのみ基づくことができる。ＵＥは、サービングセルｃに対して構成されたＵＥ伝送パワーであるＰCMAX、cをさらに伝送することができる。前記第１の搬送波グループは、二重連結のＭｅＮＢに該当することができ、前記第２の搬送波グループは、二重連結のＳｅＮＢに該当することができる。第１の搬送波グループは、多数のＣＣを含むことができ、第２の搬送波グループは、多数のＣＣを含む。
【０１３７】
ＵＥが特定のセルで実際にＰＵＣＣＨを伝送する場合、前記ＵＥは、ＰＨＲ／ＰCMAX、cがＰＵＣＣＨ伝送に該当するか、または、ＰＵＣＣＨが実際に伝送されたことを表す表示をさらに伝送することができる。ＵＥが他のセルの伝送のため、特定のセル内でＰＵＣＣＨ／ＰＵＳＣＨの伝送パワーを縮小する場合、前記ＵＥは、このような事実を表す表示をさらに伝送することができる。候補のうちの１つは、ＰＨＲを触発して、ＵＥが極めて小さい最小のパワーヘッドルーム値または負のパワーヘッドルーム値までもｅＮＢに与えることができるようにするものである。
【０１３８】
これは、さらにパワーと関係した構成が発生する場合、ＰＨＲを触発することとみなされる。例えば、ＭｅＮＢが前記ＭｅＮＢ及びＳｅＮＢ間のパワー分割を構成する場合、ＵＥがＰＨＲ報告をするように触発されて、これは使用可能なＰＨＲ値を適宜報告することができる。また、パワー構成と関係なく、前記ＳｅＮＢが構成すれば（または、前記ＳｅＮＢとの成功裏な連結後に）、ＵＥは、さらにＰＨＲを報告することができる。これは、ＭｅＮＢがｐＳＣｅｌｌ（ＳＣＧ上のＰＵＣＣＨ）を構成するとき、前記ＵＥがＰＨＲを報告できることを意味する。その他にも、ＳｅＮＢ及び／又はＭｅＮＢが搬送波を活性化すれば、ＰＨＲが触発され得る。
【０１３９】
図１１は、本発明の実施形態が実現される無線通信システムを示す。
【０１４０】
ｅＮＢ８００は、プロセッサ（ｐｒｏｃｅｓｓｏｒ）８１０、メモリ（ｍｅｍｏｒｙ）８２０、及びＲＦ部（ｒａｄｉｏ  ｆｒｅｑｕｅｎｃｙ  ｕｎｉｔ）８３０を備えることができる。プロセッサ８１０は、本明細書で説明された機能、過程、及び／又は方法を実現するように構成されることができる。無線インタフェースプロトコルの階層は、プロセッサ８１０により実現されることができる。メモリ８２０は、プロセッサ８１０と連結され、プロセッサ８１０を駆動するための様々な情報を格納する。ＲＦ部８３０は、プロセッサ８１０と連結され、無線信号を送信及び／又は受信する。
【０１４１】
端末９００は、プロセッサ９１０、メモリ９２０、及びＲＦ部９３０を備えることができる。プロセッサ９１０は、本明細書で説明された機能、過程、及び／又は方法を実現するように構成されることができる。無線インタフェースプロトコルの階層は、プロセッサ９１０により実現されることができる。メモリ９２０は、プロセッサ９１０と連結され、プロセッサ９１０を駆動するための様々な情報を格納する。ＲＦ部９３０は、プロセッサ９１０と連結され、無線信号を送信及び／又は受信する。
【０１４２】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。ＲＦ部８３０、９３０は、無線周波数信号を処理するためのベースバンド回路を備えることができる。実施形態がソフトウェアで実現されるとき、前述した技法は、前述した機能を果たすモジュール（過程、機能など）で実現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた様々な手段でプロセッサ８１０、９１０と連結されることができる。
【０１４３】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
0006522623.tif 000013
【図２】
0006522623.tif 000014
【図３】
0006522623.tif 000015
【図４】
0006522623.tif 000016
【図５】
0006522623.tif 000017
【図６】
0006522623.tif 000018
【図７】
0006522623.tif 000019
【図８】
0006522623.tif 000020
【図９】
0006522623.tif 000021
【図１０】
0006522623.tif 000022
【図１１】
0006522623.tif 000023